【手続補正書】
【提出日】平成23年3月25日(2011.3.25)
【手続補正１】
【補正対象書類名】特許請求の範囲
【補正対象項目名】全文
【補正方法】変更
【補正の内容】
【特許請求の範囲】
【請求項１】
組織をクリップ留めする装置であって、
カプセル内で受容される近位端を含むクリップであって、該カプセルの第１の係止構造に係合して、該カプセル中に該クリップを閉鎖構成で係止するように付勢されるクリップ係止部材を含む、クリップと、
使用中、ユーザにアクセス可能なままであるデバイスの近位端に該クリップを解放可能に連結する引張部材であって、該引張部材は、該デバイスから該クリップを分離するように所定の負荷を受けたときに解放するように設計された接合部によって、該クリップに連結され、該接合部の解放は、該第１の該係止構造に係合するように該係止部材を解放する、引張部材と
を備える、装置。
【請求項２】
前記引張部材に連結され、前記クリップに解放可能に接続される拘束部材をさらに備え、該クリップに連結されるとき、該拘束部材は、該クリップの前記係止部材と前記カプセルの前記第１の係止構造との係合を解除して維持し、前記接合部の解放は、該第１の係止構造に係合するように該係止部材を解放する解放位置に、該拘束部材が移動することを可能にする、請求項１に記載の装置。
【請求項３】
前記カプセルに解放可能に連結するように前記デバイスの前記近位端から延在する近位部材をさらに備え、該近位部材の遠位端は、該カプセルに解放可能に連結されるブッシングを備え、該ブッシングは、解除位置に向かって付勢されるブッシング係止特徴と、該ブッシング係止特徴を該カプセルの第２の係止構造との係合に促す、該ブッシング内で受容される支持材とを備える、請求項２に記載の装置。
【請求項４】
前記解放位置に移動した後、前記拘束部材は、前記ブッシングから前記支持材を変位させて、前記カプセルの前記第２の係止構造から前記ブッシング係止特徴を係合解除する、請求項３に記載の装置。
【請求項５】
前記カプセルの単一開口部は、前記クリップ係止部材が前記開口部と位置が合ったタブを備えるように、前記第１および第２の係止構造を形成する、請求項３に記載の装置。
【請求項６】
前記接合部は、前記引張部材に溶接される連結部材を備え、前記連結部材は、該引張部材に溶接される横棒と、該横棒を保持するための大きさの空間を画定する前記クリップの近位端とを備える、請求項１に記載の装置。
【請求項７】
前記クリップは、前記拘束部材の遠位タブを受容するための近位スロットを備える、請求項３に記載の装置。
【請求項８】
前記引張部材は、ワイヤを備え、該ワイヤは、前記クリップの対応する空間に受容される該ワイヤの湾曲部分を備える前記接合部を伴い、該湾曲部分は、該クリップから該ワイヤを解放するように前記所定の負荷を受けたときにまっすぐになる、請求項１に記載の装置。
【請求項９】
前記カプセルは、展開前に前記クリップを保持するように、かつ展開中にそのアームをカム作用で開くように、該カプセルの内部に曲げられたタブを備える、請求項１に記載の装置。
【請求項１０】
前記ブッシング係止特徴は、前記ブッシングの中心線に向かって付勢されるタブを備え、前記カプセルの前記第２の係止構造は、前記支持材がその中に該タブを促す開口部を備え、該タブは、該支持材との係合力を増加させる、曲がった耳を備える、請求項２に記載の装置。
【請求項１１】
前記カプセルは、該カプセルを前記ブッシングと位置が合うように該ブッシングの対応する特徴と嵌合する溝を備える、請求項３に記載の装置。
【請求項１２】
前記ブッシングと嵌合する前記支持材の表面は、棚、溝、平滑表面、ポケット、および逃げ溝のうちの１つを備える、請求項３に記載の装置。
【請求項１３】
前記装置の選択された部分と該装置が挿入される内視鏡との間の接触を防止する、内視鏡チャネル保護具をさらに備え、該内視鏡チャネル保護具は、低減接触シース、突起、熱収縮スカート、およびヘルメットのうちの１つである、請求項１に記載の装置。
【請求項１４】
ハンドルと、前記引張部材に連結される摺動部材とをさらに備え、該ハンドルに対する該摺動部材の移動が、該引張部材を介して前記クリップに張力を与える、請求項１に記載の装置。
【請求項１５】
前記ハンドルは、前記カプセルが前記ブッシングから分離された後の前記引張部材の遠位作動を防止する、ロックアウト機構を備え、該ハンドルは、該引張部材に連結され該ハンドルの本体に対して摺動可能な摺動部材を備え、該ロックアウト機構は、近位停止部を備え、該近位停止部は、該摺動部材が該近位停止部を過ぎて近位に移動した後に、該摺動部材の該近位停止部を過ぎる遠位への移動を防止する、請求項１４に記載の装置。
【手続補正２】
【補正対象書類名】明細書
【補正対象項目名】０００６
【補正方法】変更
【補正の内容】
【０００６】
本発明は、クリップ送達装置に向けられ、該装置は、体内の標的部位への内視鏡の作業チャネルを通した挿入のためのサイズの可撓性部材と、該可撓性部材の遠位端に解放可能に連結されるカプセル、クリップであって、該クリップの近位端は該カプセル内で受容される、クリップと、該可撓性部材を通って該クリップの近位端に延在する引張部材と、該クリップに該引張部材を連結する結合部材と、所定の負荷を受けると降伏する、該結合部材と該引張部材との間の接続とを備える。該クリップを係止解除構成で維持する拘束部材は、該引張部材に連結され、かつ該クリップに解放可能に接続され、該結合部材と該引張部材との間の接続が降伏すると、該拘束部材が該クリップを解放して、該クリップが係止閉鎖される係止構成に該クリップが移動することを可能にする。
例えば、本発明は以下の項目を提供する。
（項目１）
組織をクリップ留めする装置であって、
カプセル内で受容される近位端を含むクリップであって、該カプセルの第１の係止構造に係合して、該カプセル中に該クリップを閉鎖構成で係止するように付勢されるクリップ係止部材を含む、クリップと、
使用中、ユーザにアクセス可能なままであるデバイスの近位端に該クリップを解放可能に連結する引張部材であって、該引張部材は、該デバイスから該クリップを分離するように所定の負荷を受けたときに解放するように設計された接合部によって、該クリップに連結され、該接合部の解放は、該第１の該係止構造に係合するように該係止部材を解放する、引張部材と
を備える。
（項目２）
上記引張部材に連結され、上記クリップに解放可能に接続される拘束部材をさらに備え、該クリップに連結されるとき、該拘束部材は、該クリップの上記係止部材と上記カプセルの上記第１の係止構造との係合を解除して維持し、上記接合部の解放は、該第１の係止構造に係合するように該係止部材を解放する解放位置に、該拘束部材が移動することを可能にする、項目１に記載の装置。
（項目３）
上記カプセルに解放可能に連結するように上記デバイスの上記近位端から延在する近位部材をさらに備え、該近位部材の遠位端は、該カプセルに解放可能に連結されるブッシングを備え、該ブッシングは、解除位置に向かって付勢されるブッシング係止特徴と、該ブッシング係止特徴を該カプセルの第２の係止構造との係合に促す、該ブッシング内で受容される支持材とを備える、項目２に記載の装置。
（項目４）
上記解放位置に移動した後、上記拘束部材は、上記ブッシングから上記支持材を変位させて、上記カプセルの上記第２の係止構造から上記ブッシング係止特徴を係合解除する、項目３に記載の装置。
（項目５）
上記カプセルの単一開口部は、上記クリップ係止部材が上記開口部と位置が合ったタブを備えるように、上記第１および第２の係止構造を形成する、項目３に記載の装置。
（項目６）
上記接合部は、上記引張部材に溶接される連結部材を備える、項目１に記載の装置。
（項目７）
上記連結部材は、上記引張部材に溶接される横棒を備える、項目６に記載の装置。
（項目８）
上記クリップの近位端は、上記連結部材を保持するための大きさの空間を画定する、項目７に記載の装置。
（項目９）
上記クリップは、上記拘束部材の遠位タブを受容するための近位スロットを備える、項目３に記載の装置。
（項目１０）
上記引張部材は、ワイヤを備え、該ワイヤは、上記クリップの対応する空間に受容される該ワイヤの湾曲部分を備える上記接合部を伴い、該湾曲部分は、該クリップから該ワイヤを解放するように上記所定の負荷を受けたときにまっすぐになる、項目１に記載の装置。
（項目１１）
上記カプセルは、展開前に上記クリップを保持するように、かつ展開中にそのアームをカム作用で開くように、該カプセルの内部に曲げられたタブを備える、項目１に記載の装置。
（項目１２）
上記ブッシング係止特徴は、上記ブッシングの中心線に向かって付勢されるタブを備え、上記カプセルの上記第２の係止構造は、上記支持材がその中に該タブを促す開口部を備えている、項目２に記載の装置。
（項目１３）
上記タブは、上記支持材との係合力を増加させる、曲がった耳を備える、項目１２に記載の装置。
（項目１４）
上記カプセルは、該カプセルを上記ブッシングと位置が合うように該ブッシングの対応する特徴と嵌合する溝を備える、項目３に記載の装置。
（項目１５）
上記ブッシングと嵌合する上記支持材の表面は、棚、溝、平滑表面、ポケット、および逃げ溝のうちの１つを備える、項目３に記載の装置。
（項目１６）
上記装置の選択された部分と該装置が挿入される内視鏡との間の接触を防止する、内視鏡チャネル保護具をさらに備える、項目１に記載の装置。
（項目１７）
上記内視鏡チャネル保護具は、低減接触シース、突起、熱収縮スカート、およびヘルメットのうちの１つである、項目１６に記載の装置。
（項目１８）
ハンドルと、上記引張部材に連結される摺動部材とをさらに備え、該ハンドルに対する該摺動部材の移動が、該引張部材を介して上記クリップに張力を与える、項目１に記載の装置。
（項目１９）
上記ハンドルは、上記カプセルが上記ブッシングから分離された後の上記引張部材の遠位作動を防止する、ロックアウト機構をさらに備える、項目１８に記載の装置。
（項目２０）
上記ハンドルは、上記引張部材に連結され該ハンドルの本体に対して摺動可能な摺動部材を備え、上記ロックアウト機構は、近位停止部を備え、該近位停止部は、該摺動部材が該近位停止部を過ぎて近位に移動した後に、該摺動部材のそれを過ぎた遠位への移動を防止する、項目１９に記載の装置。
（項目２１）
クリップ送達装置であって、
体内の標的部位への内視鏡の作業チャネルを通した挿入のためのサイズの可撓性部材、
該可撓性部材の遠位端に解放可能に連結されるカプセル、
クリップであって、該クリップの近位端は該カプセル内で受容される、クリップ、
該可撓性部材を通って該クリップの近位端に延在する引張部材、
ならびに、
該クリップに該引張部材を連結する結合部材、
所定の負荷を受けると降伏する、該結合部材と該引張部材との間の接続、
該クリップを係止解除構成で維持する拘束部材
を備え、
該拘束部材は、該引張部材に連結され、かつ該クリップに解放可能に接続され、
該結合部材と該引張部材との間の接続が降伏すると、該拘束部材が該クリップを解放して、該クリップが係止閉鎖される係止構成に該クリップが移動することを可能にする、
装置。
（項目２２）
上記可撓性部材の遠位端と上記カプセルとを解放可能に接続する、ブッシングをさらに備える、項目２１に記載の装置。
（項目２３）
上記カプセルと上記ブッシングとの間の締まり嵌めに相互係止チューブをさらに備える、項目２２に記載の装置。
（項目２４）
上記引張部材は、該引張部材と上記結合部材との間の接続が降伏した後に、上記ブッシングに上記相互係止チューブを押し込んで該ブッシングから上記カプセルを分離する、当接面を備える、項目２３に記載の装置。
（項目２５）
上記相互係止チューブは、上記ブッシングに押し込まれ、上記カプセルの第１のタブを該ブッシングの対応する窓から退去させる、項目２４に記載の装置。
（項目２６）
上記カプセルの近位端は、上記相互係止チューブの当接面に係合する第２のタブを備える、項目２５に記載の装置。
（項目２７）
上記当接面は、上記相互係止チューブに形成される陥凹の側面であり、該当接面と該相互係止チューブの外面との間の接合面は、丸い縁および四角い表面のうちの１つを含む、項目２６に記載の装置。
（項目２８）
上記装置の少なくとも鋭利な部分と、それを通して該装置が上記身体に挿入される内視鏡の作業チャネルの内面との間の接触を防止する、内視鏡チャネル保護具をさらに備える、項目２１に記載の装置。
（項目２９）
上記内視鏡チャネル保護具は、低減接触シース、突起、熱収縮スカート、およびヘルメットのうちの１つである、項目２８に記載の装置。
【手続補正３】
【補正対象書類名】明細書
【補正対象項目名】００１３
【補正方法】変更
【補正の内容】
【００１３】
図７および８に示す通り、ブッシング１２０は、ブッシング支持材１５４が、カプセル１１０をブッシング１２０に係止する、カプセル１１０のスロット１５２を係合するようにブッシング１２０の遠位端に受容されるとき、外側に半径方向に移動するタブ１５６を含む。タブ１５６は、当業者により理解されるように、例えば、製造プロセス中のステップにより、ブッシング１２０の中心線Ｃに向かって付勢される。図１０から１４に示す例示的なブッシング支持材１５４、１５５、１５７、１５９および１６１のそれぞれは、それぞれ、カプセルのスロット１５２内にそれらが係止されたままであるように半径方向に外側にタブ１５６を押すプラグを形成するために使用され得る。ブッシング支持材１５４、１５５、１５７、１５９および１６１のそれぞれは、ブッシング１２０内にそれらの位置を維持するためにブッシング１２０の内側表面を半径方向に係合し、タブ１５６がスロット１５２との係合に外側に移動するのを保つ、異なる構成の係合表面１６０をさらに含む。例えば、図１０に示す通り、ブッシング支持材１５４の両側は、対応するタブ１５６の遠位端が受容される遠位棚３５０を含む。図１１のブッシング支持材１５５は、半径方向に内向きの突起のタブ１５６が受容される、表面１６０の溝３５４を含むが、図１２のブッシング支持材１５７は、実質的に滑らかな表面上でタブ１５６と接触する。図１３のブッシング支持材１５９は、半径方向に内向きの突起のタブ１５６が受容される、表面１６０に形成されたポケット３５８を含むが、図１４のブッシング支持材１６１は、表面１６０に逃げ溝の陥凹３６０を含む。当業者は、ブッシング支持材とタブ１５６との間の幾何学形状の接触は、ブッシング１２０からブッシング支持材を取り外すのに必要な所望の水準の力を達成するための方法の範囲で変動し得ることを理解するであろう。
【手続補正４】
【補正対象書類名】図面
【補正対象項目名】全図
【補正方法】変更
【補正の内容】
【図１】
2010525879.tif 000001
【図１ａ】
2010525879.tif 000002
【図２】
2010525879.tif 000003
【図３】
2010525879.tif 000004
【図４】
2010525879.tif 000005
【図５】
2010525879.tif 000006
【図６】
2010525879.tif 000007
【図７】
2010525879.tif 000008
【図８】
2010525879.tif 000009
【図９】
2010525879.tif 000010
【図１０】
2010525879.tif 000011
【図１１】
2010525879.tif 000012
【図１２】
2010525879.tif 000013
【図１３】
2010525879.tif 000014
【図１４】
2010525879.tif 000015
【図１５】
2010525879.tif 000016
【図１６ａ】
2010525879.tif 000017
【図１６ｂ】
2010525879.tif 000018
【図１６ｃ】
2010525879.tif 000019
【図１７】
2010525879.tif 000020
【図１８】
2010525879.tif 000021
【図１９】
2010525879.tif 000022
【図２０】
2010525879.tif 000023
【図２１】
2010525879.tif 000024
【図２２】
2010525879.tif 000025
【図２３】
2010525879.tif 000026
【図２４】
2010525879.tif 000027
【図２５】
2010525879.tif 000028
【図２６】
2010525879.tif 000029
【図２７】
2010525879.tif 000030
【図２８】
2010525879.tif 000031
【図２９】
2010525879.tif 000032
【図３０】
2010525879.tif 000033
【図３１】
2010525879.tif 000034
【図３２】
2010525879.tif 000035
【図３３】
2010525879.tif 000036
【図３４】
2010525879.tif 000037
【図３５】
2010525879.tif 000038
【図３６】
2010525879.tif 000039
【図３７】
2010525879.tif 000040
【図３８】
2010525879.tif 000041
【図３９】
2010525879.tif 000042
【図４０】
2010525879.tif 000043
【図４１】
2010525879.tif 000044
【図４２】
2010525879.tif 000045
【図４３】
2010525879.tif 000046
【図４４】
2010525879.tif 000047
【図４５】
2010525879.tif 000048
【図４６】
2010525879.tif 000049
【図４７】
2010525879.tif 000050
【図４８】
2010525879.tif 000051
【図４９】
2010525879.tif 000052
【図５０】
2010525879.tif 000053
【図５１】
2010525879.tif 000054